(57)【要約】  白紙シート及び／又は印刷素材を選択挿入する装置と該装置に対応する方法は、フォーマットと坪量に応じて連続的にシートを選択及び導入するのに適した位置決め台座（１１）、選択ユニット（１２）及び挿入ユニット（１３）を備え、高速の律動を維持すると同時に、装置内のシートの詰まりの原因を低減する。
2018532668.tif 000002
【特許請求の範囲】
【請求項１】
白紙又は印刷シートを選択挿入する装置であって、調節手段（１５）と関連付けられ、シートの山から少なくとも１枚のシートを選択し抜き取るよう前もって処置されるように構成される位置決め台座（１１）と、その都度、前記山のシートを移動させるように構成される抜き取り手段（２１）を少なくとも備える選択ユニット（１２）と、下流に配置される折畳みユニット（２９）と少なくとも関連付けられる挿入ユニット（１３）と、を少なくとも備え、前記調節手段（１５）が、その都度、前記シートの大きさ及び坪量に関するデータを前記抜き取り手段（２１）に利用可能にするように構成され、前記抜き取り手段（２１）が、前記調節手段（１５）によって利用可能にされた前記データに応じて、前記シートを抜き取り移動させることができることを特徴とする装置。
【請求項２】
前記選択ユニット（１２）が、吸引ノズル（１８）を有する吸引システム（１６）を少なくとも備え、前記吸引システムが、少なくとも移動手段（１７）と協働するように関連付け及び連携され、前記山の下部に位置する最初のシートを抜き取ることができ、前記吸引ノズル（１８）と前記山の前記第１のシートの下外面とを対応付けることを特徴とする、請求項１に記載の装置。
【請求項３】
前記選択ユニット（１２）が、その都度、前記抜き取り手段（２１）によって抜き取られる前記シートの上面と接触する状態に制御下で自身を位置決めするように構成される対照手段（２３）を備えることを特徴とする、請求項１又は２に記載の装置。
【請求項４】
前記吸引システム（１６）が、前記山の下部に位置する前記第１のシートを前記位置決め台座（１１）から選択して抜き取るため、少なくとも分離手段（２０）、前記抜き取り手段（２１）、前記対照手段（２３）及び少なくとも１つの保持手段（２２）と協働することを特徴とする、請求項３に記載の装置。
【請求項５】
前記挿入ユニット（１３）が、前記抜き取られたシートを正確に移動させ、前記折畳みユニット（２９）に挿入するため、前記抜き取り手段（２１）と連携する把持手段（２６）、対照挿入手段（２７）及び／又は挿入ガイド（２８）を少なくとも備えることを特徴とする、請求項１〜４のいずれか一項に記載の装置。
【請求項６】
前記位置決め台座（１１）、前記選択ユニット（１２）、前記挿入ユニット（１３）及び／又はこれらの構成要素の一部が、相互に及び前記折畳みユニット（２９）に独立して代用させることができることを特徴とする、請求項１〜５のいずれか一項に記載の装置。
【請求項７】
前記抜き取り手段（２１）が、前記抜き取り手段（２１）の全面の周囲に前記シートを巻き付けずに、前記抜き取り手段（２１）の外周よりも長いシートを抜き取るように構成されることを特徴とする、請求項１〜６のいずれか一項に記載の装置。
【請求項８】
少なくとも１枚の白紙シート及び／又は少なくとも１枚の印刷シートを選択し、選択したシートを適切な台座及び／又は装置に挿入する方法であって、選択挿入装置（１０）を微調整し、前記選択挿入装置（１０）の位置決め台座（１１）にシートの山を位置決めする最初のステップを備え、前記方法が、
−少なくとも調節手段（１５）を用いることによって、大きさ及び／又は坪量に応じて前記シートの山を調節及び区分するステップと、
−その都度、前記調節手段（１５）によって、前記山の下部に位置するシートの大きさ及び坪量に関するデータを抜き取り手段（２１）に利用可能にするステップと、
−前記山の下部に位置するシートを分離及び選択するステップと、
−前記調節手段（１５）によって利用可能にされた前記データに基づき、前記抜き取り手段（２１）によって前記選択されたシートを制御及び調節下で抜き取るステップと、
−前記抜き取り手段（２１）から抜き取られた前記シートを前記挿入手段（１３）に制御及び調節下で輸送するステップと、
を備えることを特徴とする方法。
【請求項９】
前記挿入ユニット（１３）によって、少なくとも前記シートを少なくとも折畳みユニット（２９）及び／又はその他の適切な装置に挿入するステップを少なくとも備えることを特徴とする、請求項８に記載の方法。
【請求項１０】
選択され前記折畳みユニット（２９）に挿入されるシートの１分当たり最高３５０枚の最大作業速度、好適には、１分当たり約２５０枚の通常速度でシートを供給することを特徴とする、請求項９に記載の方法。
【発明の詳細な説明】
【技術分野】
【０００１】
本発明は、注意書き又は使用説明書が入っている、若しくは広告も含まれている薬及び／又は各種製品のパッケージに付随されるように、印刷及び／又は白紙シートを選択挿入する装置に関する。好適には、選択挿入装置は、その都度定義される特徴に応じて、印刷又は白紙素材を折り畳む装置と関連付けられる。また、本発明は、印刷及び／又は白紙シートを選択挿入する方法に関する。
【背景技術】
【０００２】
たとえば、印刷機、コピー機又はその他の類似若しくは同等の機械で使用される選択導入装置が公知である。
通常、公知の選択導入装置が扱うことができるのは、規定の坪量で、その都度大きさが略一定で、律動が限定される紙のシートである。
【０００３】
さらに、公知の装置は、白紙シート、すなわち、未印刷のシート、又は実質的に及び／又は非均等にシートの坪量を変更しないように印刷されたシートしか処理しないことが多い。
【０００４】
公知の装置は、既に積層されたシート又は規定フォーマットで予め包装されたパックにおいて積層されたシートを処理できることが知られている。
また、薬及び／又は化粧品に関連する使用説明は、様々な大きさで坪量も大きく異なるシートに記載されることが知られている。
【０００５】
さらに、使用説明は、薬と共にパッケージに挿入させることができるように、折り畳み前におそらくはシートの両面にカラーでも印刷されている。
つまり、様々な大きさのシートは、前の機械を通過したときの影響を既に受けており、複数種類のインクまでも既に塗布されている。つまり、シートはもはや元の柔軟性や滑性を有しておらず、詰まり及び／又は損傷が生じる可能性が高い。
【０００６】
さらに、公知の選択導入装置は、広告シート、すなわち、広告メッセージが記載されているシートを処理するのに適していなければならない。広告メッセージは、色付きインクとその色素を使用して所望の色合いを獲得するように好適には作製されており、特定の表面を形成しなければならないため、シートに異なる剛性を付与する。
【０００７】
さらに、公知の装置はかさばるだけではなく、低速で、構築及び／又は管理の全体コストに影響を及ぼす頻繁なメンテナンス作業とフォーマット変更を要する。
たとえば、従来技術文献の特許文献１及び特許文献２は、規定の大きさ及び坪量の山から白紙シートを選択するように構成される選択導入装置を記載している。
【０００８】
これら２つの公知の装置の欠点の１つは、送りロールが、様々な坪量のシート及び／又はシート上の印刷に敏感に反応しないことである。つまり、シートの山が異なる種類のシート、たとえば、印刷されたシートを含む場合、詰まり及び／又は損傷が発生する可能性がある。
【０００９】
したがって、現状技術を改良し、現状技術の欠点のうちの少なくとも１つを克服する選択挿入装置及び該装置に対応する方法を利用可能にすることが必要とされている。
【先行技術文献】
【特許文献】
【００１０】
【特許文献１】米国特許第４，０３４，６５８号明細書
【特許文献２】欧州特許第２，７７４，８８４号明細書
【発明の概要】
【発明が解決しようとする課題】
【００１１】
特に、本発明の目的の一つは、様々な大きさ及び坪量のシートを選択し、選択したシートを下流に位置する少なくとも適切に連携された折畳み装置又はその他の装置に挿入することである。
【００１２】
別の目的は、両面に複数の色で印刷され、剛性が変化する特定のおそらくは連続する面を生成するシートでも選択し挿入できるようにすることである。
別の目的は、販売される製品の最終コストに悪影響を及ぼさないように、特に極端に制限される要因においては選択挿入及び折り畳み作業を限定しなければならないため、高速な律動で処理できる選択挿入装置を得ることである。
【００１３】
出願人は、本発明を考案し、試験し、具現化して、現状技術の欠点を克服し、上記の並びにその他の目的及び利点を獲得した。
【課題を解決するための手段】
【００１４】
本発明は、独立請求項に記載され特徴付けられる一方、従属請求項に本発明のその他の特徴又は主となる発明の概念の変形が記載される。
上記の目的によると、白紙シート及び／又は印刷素材を選択及び挿入する装置と該装置に対応する方法は、シートの山を準備するのに適しておりサイズに応じてシートを区分できる位置決め台座と、他のシートを引き込まずに単独のシートを選択できる選択ユニットと、規制された態様且つ調律された態様でシートを適切な折畳みユニットに挿入する挿入ユニットと、を少なくとも備える。
【００１５】
本発明の一特徴によると、選択ユニットは、制御下で可動吸引システムと連携し、山から抜き取られるシートのみを選択するのに適した適切な分離及び保持手段を有する。
本発明の別の特徴によると、選択ユニットは、大きさ及び／又は坪量に応じて、予め選択されたシートのみを抜き取り、抜き取り方向に移動させることができる制御可能な電動抜き取り手段を少なくとも備える。
【００１６】
一変形によると、本発明では、山の下部に位置する第１のシートを選択的に取得する。
別の変形によると、抜き取り手段が、抜き取られたシートを次のユーザ装置に方向付けるように位置決め可能である対照手段と協働する。
【００１７】
一変形によると、次のユーザ装置への正確な挿入が有益又は必要である場合、抜き取り手段と協働する適切な把持手段と関連付けられる挿入ユニットが、抜き取り手段の下流に設けられる。これにより、該装置に沿って次のユーザ装置まで問題なくシートを輸送することができる。
【００１８】
前記次のユーザ装置は、たとえば、折畳みユニットとすることができる。
本発明の別の特徴によると、抜き取り手段及び把持手段は、少なくとも折畳みユニット又はその他の次のユーザ装置を同時に交換する必要なく、個別に交換可能である。
【００１９】
本発明の別の主要な特徴によると、該方法は、
−選択挿入装置を調整し、位置決め台座にシートの山を位置決めする最初のステップと、
−適切な規制手段によって、サイズに応じてシートの山を規制及び区分するステップと、
−分離手段及び／又は保持手段と位置決め可能であり且つ協働する吸引システムによって、山の下部に位置するシートを分離及び選択するステップと、
−シートの大きさ及び坪量に応じて、対照手段及び／又は規制手段と協働する抜き取り手段によって、制御及び規制下で選択されたシートを抜き取るステップと、
−抜き取り手段によって抜き取られたシートを、挿入ユニットまで制御及び調節下で輸送する工程と、
を備える。
【００２０】
折畳みユニット及び／又はその他の次のユーザ装置にシートを挿入するステップを設けることは、本発明の趣旨に含まれる。
該方法は、１分当たり選択及び挿入されるシート３５０枚の最大作業速度、好適には、しかし排他的ではなく、１分当たりシート約２５０枚の通常速度を実現することも、本発明の趣旨に含まれる。
【００２１】
本発明の別の変形によると、全作業が完全に自動化される。
【図面の簡単な説明】
【００２２】
これらの及びその他の本発明の特徴は、添付図面を参照して非限定的な例として提示されるいくつかの実施形態の以下の説明から自明になるであろう。
【図１】本発明に係るシート及び／又は印刷素材用の選択挿入装置の横断面図である。
【００２３】
理解しやすくするため、可能な場合、図面中で共通する構成要素を特定するため同一の参照符号を使用した。一実施形態の構成要素および特徴は、追加説明なく都合よく他の実施形態に組み込むことができると理解される。
【発明を実施するための形態】
【００２４】
図１を参照すると、本発明に係る白紙シート及び／又は印刷素材用の選択挿入装置１０は、位置決め台座１１、選択ユニット１２及び可能であれば挿入ユニット１３を少なくとも備える。
【００２５】
位置決め台座１１は、様々な大きさ及び／又は様々な坪量のシートの山に合わせて、再構成することができ、制御下で位置決め可能である支持面１４を備える。
位置決め台座１１は、幅に応じてシートを区分する、及び／又は選択されるシートに、その都度必要な長手方向及び／又は短手方向を定義する調節手段１５をさらに有する。
【００２６】
これにより、選択ユニット１２の抜き取り手段２１及び挿入ユニット１３の対照手段２３の作業パラメータを正確に設定して、所望のシートを正確かつ高速で問題なく輸送することを許容する。
【００２７】
一変形によると、シートが機械の自然の振動によっても連続的に処理され、正確に位置決めされるように、位置決め台座１１が２０〜４１度、好適には約３０度の傾斜を有することができる。
【００２８】
なお、位置決め台座１１は、山の中で最初の最下層のシートを選択してより下部の片持ち部から抜き取ることができるように、シートを、セグメントについて片持ち状に位置決めして、可変長のシートでも配置するように構成される。
【００２９】
選択ユニット１２は、移動手段１７によって制御下で位置決め可能な吸引システム１６を少なくとも備える。
吸引システム１６は、吸引ノズル１８が山の底部に位置する最初のシートの下面に対面するように構成される。
【００３０】
本発明の可能な一変形では、移動手段１７は、吸引ノズル１８を有する吸引システム１６を第１のシートの下外面近傍に位置決めすることができる回転部材１９を少なくとも備える。
【００３１】
吸引ノズル１８が第１のシートの下外面に近いと、吸引システム１６はシート面に付着するまで吸引ノズル１８によって空気を吸引し始める。
吸引を有効にしたまま、吸引システム１６の同じ移動手段１７によって最初のシートを移動させることができる。
【００３２】
具体的には、回転部材１９は、初期位置に復帰し、吸引システム１６の吸引を有効にしたまま、吸引ノズル１８に接する最初のシートをシートの山から分離させて、両者間に空隙を生成する。
【００３３】
選択ユニット１２は、山と選択シートとの間の物理的分離手段として機能するように、吸引システム１６によって生成される空隙に挿入することができる電動分離手段２０をさらに備える。
【００３４】
この挿入は、動作を加速するように吸引システム１６がわずかに降下するのと同時に生じる。
詰まらせずに選択されたシートを抜き取るため、吸引システム１６は、選択シートの端部をプログラム可能な電動抜き取り手段２１に接触させるまで下方に回転し続ける。
【００３５】
抜き取り手段２１は、たとえば、ロール又は輸送ベルトとすることができる。
さらに、抜き取り手段２１は、調節手段１５から供給される大きさ及び坪量に関するデータを有するため、シートを前進させるように選択シートのパラメータに比例する回転を実行することができる。
【００３６】
本発明の好適な変形によると、選択ユニット１２は、山と山に接触する選択シートとの間で位置決め可能な保持手段２２を少なくとも設ける。
抜き取り手段２１による選択シートの抜き取り中、シートの山の縁部に位置する保持手段２２は、前方への移動を制限して、選択シートが山を引き寄せて共に前進させるのを防止する。
【００３７】
選択ユニット１２は、抜き取り手段２１と接触するシートの上面と制御下で接触するように位置決め可能な対照ロール２３を少なくとも備える。対照手段２３によって、抜き取られたシートを所望の経路に沿って平面的に輸送することができる。
【００３８】
一変形では、挿入ユニット１３は好適には、選択ユニット１２の下流に、シートの所望フォーマットに応じて好適に調節可能であるベルト又はその他の種類のガイド２５と協働する接続チャンバ２４を少なくとも備える。
【００３９】
接続チャンバ２４及びガイド２５によって、選択ユニット１２から抜き取られたシートを可能性のある挿入ユニット１３まで制御下で輸送することができる。
挿入ユニット１３は、挿入対照手段２７及び少なくとも挿入ガイド２８と協働し、好適には所望のシートフォーマットに応じて調節可能な電動ロールなどの把持手段２６も少なくとも備える。
【００４０】
挿入対照手段２７は、印刷シートの大きさ及び／又は坪量に応じて位置決め可能であり、把持手段２６と挿入対照手段２７自身の間でシートを輸送する対照として機能する。
把持手段２６は制御及び調節下で回転し、抜き取り手段２１と協働して、詰まらせずにシートを輸送することができる。
【００４１】
さらに、把持ロール２６の目的は、挿入ガイド２８の下流に位置決め可能な少なくとも１つの折畳みユニット２９までシートを送達することであり、挿入ガイド２８は構造上の独立性を保ちつつ、挿入ユニット１３と連携する。
【００４２】
折畳みユニット２９は、挿入ガイド２８に向いた折畳みユニットへの入口３０を少なくとも備え、該入口は少なくとも１つの把持ロール２６から届くシートを収容し、シートの移動を停止させて、折畳みに備えることができる。
【００４３】
また、挿入ユニット１３及び抜き取り手段２１を折畳みユニット２９から分離させて設けることで、誤動作や詰まりが生じた場合のメンテナンス又は修復作業が容易になる。
さらに、抜き取り手段２１は、面上で折畳みを実行せずに具体的な抜き取り動作を実行し、抜き取られるシートの特定フォーマットに対して機能が限定されない。
【００４４】
言い換えると、抜き取りロールが使用される場合、本発明によると、抜き取り手段２１の面で選択シートを巻き付けて折り畳む必要がないため、抜き取りロールの外周よりも長いシートでも選択することができる。
【００４５】
このため、抜き取り手段２１上でのシートの詰まりの発生が低減される。
本発明の一実施形態によると、対応する方法は、
−選択挿入装置１０を調整し、位置決め台座１１にシートの山を位置決めする最初のステップと、
−調節手段１５によって、大きさ及び／又は坪量に応じてシートを調節及び区分するステップと、
−シートの少なくとも１つの分離手段２０及び／又は少なくとも１つの保持手段２２と協働する吸引システム１６によって、山の下部に位置するシートを分離及び選択するステップと、
−少なくとも１つの対照手段２３及び／又は調節手段１５と協働する少なくとも１つの抜き取り手段２１によって、シートの大きさ及び／又は坪量に応じて、選択されたシートを抜き取る制御及び調節ステップと、
−少なくとも１つの抜き取り手段２１によって抜き取られたシートを、少なくとも１つの挿入ユニット１３まで制御及び調節下で輸送するステップと、
−少なくとも１つの挿入ユニット１３によって、シートを少なくとも１つの折畳みユニット２９に挿入するステップと、
を備える。
【００４６】
本発明によると、上述の選択挿入装置１０は、折畳みユニット２９に挿入される選択シートの１分当たり３５０枚の最大作業速度、好適には１分当たり約２５０枚の速度を実現する。
【００４７】
明らかに、本発明の分野と範囲から逸脱せずに、上述したような選択挿入装置及び該装置に対応する方法に対する変更及び／又は部品の追加を行うことができる。
また、明らかに、いくつかの具体的な例を参照して本発明を説明したが、当業者であれば、請求項に記載される特徴を有し、請求項によって定義される保護分野に収まるその他の多数の等価形状をとる装置及び該装置に対応する方法を確実に達成できる。
【図１】
2018532668.tif 000003
【国際調査報告】
2018532668.tif 000004
2018532668.tif 000005